(57)【要約】      （修正有）【課題】現金カセットをＡＴＭから持ち帰った後、ＡＴＭから回収された現金も含め現金カセットへ現金を中断なく装填することのできる現金補充システムの提供である。【解決手段】現金を伴う取引を行う複数の取引装置と、現金の回収処理および補充処理を行うための現金処理装置と、現金を補充する補充カセットと、現金を回収する回収カセットとで構成される現金補充システムにおいて、現金処理装置１２は、回収カセットや補充カセットの収納している現金の量を表示するとともに、補充カセットへの現金の装填量を指定する操作表示部と、回収カセットに収納された現金を計数する現金回収部３００と、補充カセットへ現金を供給する現金補充部１００と、その現金を搬送する現金搬送部４００と、計数された現金を現金補充部へ供給し、現金補充部にて前記補充カセットへ収納すべく、現金搬送部の制御を行う現金処理制御部５００と、を備える。【選択図】        図６
2006085346.tif 000002
【特許請求の範囲】
【請求項１】
現金を伴う取引を行う複数の取引装置と、現金の回収処理および補充処理を行うための現金処理装置と、現金を補充するために前記取引装置へ装填される補充カセットと、現金を回収するために前記取引装置に装填される回収カセットと、
で構成される補充する現金補充システムにおいて、
前記現金処理装置は、
前記回収カセットや補充カセットの収納している現金の量を表示するとともに、補充カセットへの現金の装填量を指定すべく操作される操作表示部と、
前記回収カセットを受け入れ、該回収カセットに収納された現金を計数するための現金回収部と、
前記補充カセットを受け入れ、該補充カセットへ現金を供給するための現金補充部と、
前記現金回収部および前記現金供給部を結合し、扱う現金を供給するための現金を搬送する現金搬送部と、
前記計数された現金を前記現金補充部へ供給し、前記現金補充部にて前記補充カセットへ収納すべく、前記現金搬送部の制御を行う現金処理制御部と、
を備えることを特徴とする現金補充システム。
【請求項２】
前記複数の取引装置の稼動状況を示す情報に基づいて現金の入出の管理を行う現金管理装置を前記現金補充システムに設け、
前記現金処理装置は、前記現金管理装置からの指示に基づいて現金の補充処理または現金の回収処理を行うことを特徴とする請求項１に記載の現金補充システム。
【請求項３】
前記現金処理装置に、前記補充カセットへ収納する現金の額を指示する金額指定手段を設け、
前記現金処理制御部は、前記現金回収部で計数した現金を前記現金補充部に受け入れられた補充カセットに収容するとき、前記現金回収部で計数した現金が該金額指定手段により指示された金額に不足する場合は、
前記現金補充部での補充カセットへの現金の収納を一時中断し、新たに前記取引装置から回収されてきた別の回収カセットを前記現金回収部へ装着し、該装着された回収カセットに収納されている現金を計数するとともに、
前記現金補充部の補充カセットへの現金の収納を再開するように制御することを特徴とする請求項１に記載の現金補充システム。
【請求項４】
前記現金処理装置に、前記現金搬送部により前記現金回収部および前記現金補充部に結合され、前記現金回収部から現金を供給され前記現金補充部へは供給するための現金予備部を設け、
該現金予備部に一時現金を保持するための予備カセットを装着し、
前記現金処理制御部は、前記現金回収部が計数した現金を前記現金補充部の補充カセットに収納するとき、必要に応じて該予備カセットへ現金を収納するように制御することを特徴とする請求項１に記載の現金補充システム。
【請求項５】
前記現金処理装置に、前記補充カセットに収納する現金の額を指示する金額指定手段を設け、前記現金回収部で計数した現金を前記現金補充部の補充カセットに収容するとき、
前記現金処理制御部は、前記現金回収部で計数した現金が該金額指定手段により指示された金額を超過する場合には、
該超過する現金を前記予備カセットに収納するように制御することを特徴とする請求項４に記載の現金補充システム。
【請求項６】
前記現金回収部で計数した現金が前記金額指定手段により指示された金額に不足する場合は、
前記現金処理制御部は、前記現金補充部の補充カセットへの現金の収納を一時中断し、前記予備カセットに現金が収納されているか否かを判断し、現金が収納されているときは、該予備カセットに収納されている現金を前記現金補充部に供給し補充カセットへの現金の収納を継続するように制御することを特徴とする請求項４に記載の現金補充システム。
【請求項７】
前記現金搬送部は、前記現金回収部から現金を繰り出す方向と、前記現金補充部へ現金を搬入する方向と、前記現金予備部からの現金搬送方向とに対して直交し、かつ、前記現金回収部と前記現金予備部と前記現金補充部とに跨って設けられ、
その搬送方向は、前記現金回収部から前記現金予備部へと向かい、さらに、前記現金予備部から前記現金補充部へと向かうことを特徴とする請求項１に記載の現金補充システム。
【請求項８】
前記補充カセットおよび前記回収カセットは、同数の紙幣カセットから構成され、該紙幣カセットは、略同一形状で略同一寸法のカセット筐体に収容され、カセット識別番号およびまたはラベルの表示で識別されることを特徴とする請求項１に記載の現金補充システム。
【請求項９】
前記紙幣カセットは、自カセット筐体に取り付けられた、カセット識別番号と紙幣の収納量を示すデータを記録するデータ記録手段を有することを特徴とする請求項８に記載の現金補充システム。
【請求項１０】
前記データ記録手段に記録されているデータを読み出しと該データ記録手段へ記録すべきデータを書き込みができる無線通信手段を設け、
該無線通信手段を用いて、前記現金処理装置が現金を前記補充カセットへ収納するとき、収納された現金量に係わる情報を前記データ記録手段に記録することを特徴とする請求項９に記載の現金補充システム。
【請求項１１】
前記取引装置に、前記補充カセットのデータ記録手段に記録されたデータの読み出しを行うデータ読み出し手段を設け、
前記補充カセットが該取引装置に装填されたとき、前記データ記録手段に記録されたデータを読み出して取引を実行することを特徴とする請求項９に記載の現金補充システム。
【請求項１２】
現金を伴う取引を行う複数の取引装置と、該複数の取引装置の運用状況を監視する監視装置と、該監視装置からの監視情報により複数の取引装置の運用状況を把握し現金の入出を管理する現金管理装置と、現金を補充するために取引装置へ装填される補充カセットと、該補充カセットへ前記現金管理装置の指示に基づいて現金を装填するための現金装填装置とを具備する、前記取引装置へ現金を補充する現金補充システムにおいて、
前記補充カセットは、カセット識別番号と紙幣の装填量を示すデータを記録する、自カセット筐体に取り付けられたデータ記録手段を有することを特徴とする現金補充システム。
【請求項１３】
前記データ記録手段に記録されているデータを読み出しと該データ記録手段へ記録すべきデータを書き込みができる無線通信手段を設け、
該無線通信手段を用いて、前記現金装填装置で前記補充カセットへ現金を装填する作業をするとき、装填された現金量を示すデータを前記データ記録手段に記録することを特徴とする請求項１２に記載の現金補充システム。
【請求項１４】
前記現金装填装置の一部に組み込まれて、前記補充カセットに取り付けられたデータ記録手段に対して、無線通信手段により記録されているデータの書き換えと読み出しを行うためのデータ書き換え手段を設け、
前記現金装填装置で現金を前記補充カセットへ装填したとき、装填された現金量を示すデータを該データ書き換え手段により前記データ記録手段へ記録することを特徴とする請求項１３に記載の現金補充システム。
【請求項１５】
前記現金装填装置に、補充カセットに収納する現金量を表示するための表示手段と、現金を装填する作業が完了した旨を入力するための入力手段とを設け、
前記現金装填装置で現金を前記補充カセットへ装填するとき、初めにデータ書き換え手段により補充カセットの識別番号を読み出し、該読み出した識別番号に従って補充カセットに装填する現金量を前記表示手段にて表示するとともに、
前記入力手段の操作で表示に従って装填作業が完了した旨の入力がなされたとき、データ書き換え手段により装填した現金量を示すデータを前記データ記録手段に記録することを特徴とする請求項１２に記載する現金補充システム。
【発明の詳細な説明】
【技術分野】
【０００１】
本発明は、現金を取り扱う自動取引装置（Ａｕｔｏｍａｔｅｄ  Ｔｅｌｌｅｒ  Ｍａｃｈｉｎｅ、以下  ＡＴＭと記述する）に対して、取引に使用する現金をカセットで補充・回収するとき、回収した現金カセットからの回収金額を自動的に精算するとともにＡＴＭへ現金補充するために、回収された現金を補充カセットへ自動的に収納する現金補充システムに関する。
【背景技術】
【０００２】
従来、ＡＴＭへの現金の補充やＡＴＭからの現金の回収は、次のように行っていた。即ち、ＡＴＭへの現金の補充は、現金を持参し直接ＡＴＭの金庫部に補充していた。また、ＡＴＭからの現金の回収は、ＡＴＭの金庫部を開き現金を回収していた。このとき、ＡＴＭから発行される伝票を持ち帰り、該伝票を現金の補充データおよび回収データとしていた。
【０００３】
最近では、データ記録部を設けた現金を収納するカセットが利用されている。ＡＴＭに装着されている現金を収納するカセット（以後、現金カセットと記述する）を交換することにより、ＡＴＭへの現金の補充やＡＴＭからの現金の回収が行われると同時に、該データ記録部に補充データや回収データを書き込み、持ち帰ることができるようになっている。
【発明の開示】
【発明が解決しようとする課題】
【０００４】
しかしながら、現金カセットを持ち帰った後、現金センタで行われる作業、即ち、現金カセットから現金を抜き出し計数して精算する作業は手作業で行われている。精算した後は、紙幣を１００枚ずつの束にして管理している。該紙幣の束を補充に用いる場合には、改めて計数しながら束を外して、現金カセットに収納する必要があるので、現金の処理には大きな手間と時間がかかるという問題がある。
【０００５】
また、補充のための現金が不足するときは、現金センタで現金の供給を受けることになる。該現金センタから供給される現金も束で管理されているので、該現金の束を現金カセットに収納するときには束を外す必要がある。この作業も手作業で行うので収納には手間と時間がかかる。
【０００６】
従って、本発明の目的は、現金カセットをＡＴＭから持ち帰った後、ＡＴＭから回収された現金も含め現金カセットへ現金を中断なく装填することのできる現金補充システムの提供である。
【課題を解決するための手段】
【０００７】
本発明は、以上の点を解決するために、次の構成を採用する。
〈構成１〉
現金を伴う取引を行う複数の取引装置と、現金の回収処理および補充処理を行うための現金処理装置と、現金を補充するために取引装置へ装填される補充カセットと、現金を回収するために取引装置に装填される回収カセットと、
で構成される補充する現金補充システムにおいて、
現金処理装置は、
回収カセットや補充カセットの収納している現金の量を表示するとともに、補充カセットへの現金の装填量を指定すべく操作される操作表示部と、
回収カセットを受け入れ、回収カセットに収納された現金を計数するための現金回収部と、
補充カセットを受け入れ、補充カセットへ現金を供給するための現金補充部と、
現金回収部および現金供給部を結合し、扱う現金を供給するための現金を搬送する現金搬送部と、
計数された現金を現金補充部へ供給し、現金補充部にて前記補充カセットへ収納すべく、現金搬送部の制御を行う現金処理制御部と、
を備えることを特徴とする。
〈構成２〉
【０００８】
前記複数の取引装置の稼動状況を示す情報に基づいて現金の入出の管理を行う現金管理装置を前記現金補充システムに設け、
現金処理装置は、現金管理装置からの指示に基づいて現金の補充処理または現金の回収処理を行うことを特徴とする。
〈構成３〉
現金処理装置に、補充カセットへ収納する現金の額を指示する金額指定手段を設け、
現金処理制御部は、現金回収部で計数した現金を現金補充部に受け入れた補充カセットに収容するとき、現金回収部で計数した現金が金額指定手段により指示された金額に不足する場合は、
現金補充部での補充カセットへの現金の収納を一時中断し、新たに取引装置から回収されてきた別の回収カセットを現金回収部へ装着し、新たに装着された回収カセットに収納されている現金を計数するとともに、
現金補充部の補充カセットへの現金の収納を再開するように制御することを特徴とする。
〈構成４〉
【０００９】
現金処理装置に、現金搬送部により現金回収部および現金補充部に結合され、現金回収部から現金を供給され現金補充部へは供給するための現金予備部を設け、
現金予備部に一時現金を保持するための予備カセットを装着し、
現金処理制御部は、現金回収部が計数した現金を現金補充部の補充カセットに収納するとき、必要に応じて該予備カセットへ現金を収納するように制御することを特徴とする。
〈構成５〉
現金処理装置に、補充カセットに収納する現金の額を指示する金額指定手段を設け、現金回収部で計数した現金を現金補充部の補充カセットに収容するとき、
現金処理制御部は、現金回収部で計数した現金が金額指定手段により指示された金額を超過する場合には、
超過する現金を予備カセットに収納するように制御することを特徴とする。
〈構成６〉
【００１０】
現金回収部で計数した現金が金額指定手段により指示された金額に不足する場合は、
現金処理制御部は、現金補充部の補充カセットへの現金の収納を一時中断し、予備カセットに現金が収納されているか否かを判断し、現金が収納されているときは、予備カセットに収納されている現金を現金補充部に供給し補充カセットへの現金の収納を継続するように制御することを特徴とする。
〈構成７〉
現金搬送部は、現金回収部から現金を繰り出す方向と、現金補充部へ現金を搬入する方向と、現金予備部からの現金搬送方向とに対して直交し、かつ、現金回収部と現金予備部と現金補充部とに跨って設けられ、その搬送方向は、現金回収部から現金予備部へと向かい、さらに、現金予備部から現金補充部へと向かうことを特徴とする。
〈構成８〉
【００１１】
補充カセットおよび回収カセットは、同数の紙幣カセットから構成され、紙幣カセットは、略同一形状で略同一寸法のカセット筐体に収容され、カセット識別番号およびラベルの表示で識別されることを特徴とする。
〈構成９〉
紙幣カセットは、自カセット筐体に取り付けられた、カセット識別番号と紙幣の収納量を示すデータを記録するデータ記録手段を有することを特徴とする。
〈構成１０〉
データ記録手段に記録されているデータを読み出しとデータ記録手段へ記録すべきデータを書き込みができる無線通信手段を設け、
無線通信手段を用いて、現金処理装置が現金を補充カセットへ収納するとき、収納された現金量に係わる情報をデータ記録手段に記録することを特徴とする。
〈構成１１〉
【００１２】
取引装置に、補充カセットのデータ記録手段に記録されたデータの読み出しを行うデータ読み出し手段を設け、補充カセットが該取引装置に装填されたとき、データ記録手段に記録されたデータを読み出し、取引を実行することを特徴とする。
〈構成１２〉
現金を伴う取引を行う複数の取引装置と、複数の取引装置の運用状況を監視する監視装置と、監視装置からの監視情報により複数の取引装置の運用状況を把握し現金の入出を管理する現金管理装置と、現金を補充するために取引装置へ装填される補充カセットと、補充カセットへ前記現金管理装置の指示に基づいて現金を装填するための現金装填装置とを具備する、取引装置へ現金を補充する現金補充システムにおいて、
補充カセットは、カセット識別番号と紙幣の装填量を示すデータを記録する、自カセット筐体に取り付けられたデータ記録手段を有することを特徴とする。
〈構成１３〉
【００１３】
データ記録手段に記録されているデータを読み出しとデータ記録手段へ記録すべきデータを書き込みができる無線通信手段を設け、
無線通信手段を用いて、現金装填装置で補充カセットへ現金を装填する作業をするとき、装填された現金量を示すデータをデータ記録手段に記録することを特徴とする。
〈構成１４〉
現金装填装置の一部に組み込まれて、補充カセットに取り付けられたデータ記録手段に対して、無線通信手段により記録されているデータの書き換えと読み出しを行うためのデータ書き換え手段を設け、
現金装填装置で現金を補充カセットへ装填したとき、装填された現金量を示すデータをデータ書き換え手段によりデータ記録手段へ記録することを特徴とする。
〈構成１５〉
【００１４】
現金装填装置に、補充カセットに収納する現金量を表示するための表示手段と、現金を装填する作業が完了した旨を入力するための入力手段とを設け、
現金装填装置で現金を補充カセットへ装填するとき、初めにデータ書き換え手段により補充カセットの識別番号を読み出し、読み出した識別番号に従って補充カセットに装填する現金量を表示手段にて表示するとともに、
入力手段の操作で表示に従って装填作業が完了した旨の入力がなされたとき、データ書き換え手段により装填した現金量を示すデータを前記データ記録手段に記録することを特徴とする請求項１２に記載する現金補充システム。
【発明の効果】
【００１５】
本発明の現金補充システムによれば、現金処理装置に複数の紙幣部およびそれらを連結する現金搬送部と現金処理制御を設け、複数の紙幣部の役割は、それぞれ装填（補充）および回収とし、現金搬送路は、これらの紙幣部を跨ぐ形でそれらを連結し現金を搬送するので、１つの紙幣部（現金回収部）は受け入れた回収カセットに収納されている現金の計数し回収する。他の紙幣部（現金金補充部）は受け入れた補充カセットへ回収された現金も含めて自動的に現金を装填することができる。
従って、回収された現金を有効に再利用することができるとともに、現金カセットに現金を収納する処理に大きな手間と時間がかかる問題を解消することができる。
【発明を実施するための最良の形態】
【００１６】
本発明の実施形態について、図を用いて詳細に説明する。以下の説明では、各実施の形態に用いる図面について同一の構成要素は同一の符号を付し、かつ重複する説明は可能な限り省略する。
【実施例１】
【００１７】
以下、本発明の実施形態について図を用いて詳細に説明する。
本発明の現金補充システムについて説明する。該現金補充システムの中心的装置である現金処理装置の外観図が図１に示される。該現金処理装置についての説明に先立って、店舗などに設置されたＡＴＭの現金の回収および現金の補充がどのように運用されるかについて説明する。
ＡＴＭ２は、図２に示されるように、店舗１に設置されている。ＡＴＭ２は、通信回線３により監視センタ４の監視装置５に接続されている。監視装置５は、ＡＴＭ２の稼動状況、即ち、ＡＴＭ２内に障害が発生したことや取引に必要な現金が不足したことやレシートなどの媒体が無くなったことなどの監視を行う。必要に応じて、ＡＴＭ２の障害を回復するための要員を派遣するべく要求を出し、あるいは、現金や媒体などの回収や補充の指示を出す。
【００１８】
例えば、ＡＴＭ２に対して取引のための現金の補充や回収が必要となった場合、監視装置５は、第２の通信回線６を介して現金センタ７の現金管理システム１０に通知する。現金管理システム１０は、監視装置５から通知された情報によりＡＴＭ２の稼動状況を把握し、ＡＴＭ２の現金回収の処理や現金補充の処理を実施する。即ち、現金センタ７の現金管理システム１０は、通知された情報を基づいてＡＴＭ２に補充する現金を準備する。ＡＴＭ２に補充する現金が準備されると、現金は現金輸送車９にて店舗１へ輸送される。現金輸送車９が店舗１に到着すると、ＡＴＭ２への現金の補充や回収が行われる。
【００１９】
現金管理システム１０について説明する。
現金管理システム１０は、図３に示されるように、現金管理装置１１と、複数台の現金処理装置１２ａ、１２ｂ及び複数台の現金装填装置１４ａ、１４ｂから構成される。本実施例では、現金処理装置及び現金装填台については２台ずつ設置された例で説明するが、これらの設置台数については、これに限定されるものではなく、処理する現金量や現金センタの事情を考慮して、台数を決定し設置すれば良い。
現金管理装置１１は、通信回線６により監視装置５に接続されている。また、現金管理装置１１と現金処理装置１２ａ、１２ｂや現金装填装置１４ａ、１４ｂとの間はＬＡＮ回線１３により接続され、現金計数のデータなどの情報を通信できる。
現金処理装置１２ａ、１２ｂは、ＡＴＭ２へ補充するための現金を計数して現金カセット（補充カセット）へ現金を収納し、また、現金輸送車９がＡＴＭ２から回収してきた現金カセット（回収カセット）内の現金を計数し精算するための装置である。
【００２０】
また、現金管理装置１１は、監視装置５からの情報を受けて、現金処理装置１２ａ、１２ｂや現金装填装置１４ａ、１４ｂに対して、ＡＴＭ２へ補充する現金量を指定する。さらに、ＡＴＭ２から回収してきた現金の計数結果と監視装置５から通知されたＡＴＭ２の稼動情報に基づいた現金の入出金量とを突き合わせを行い現金管理が正しく行われているかをチェックする。
【００２１】
次に、現金処理装置１２ａ、１２ｂについて説明する。現金処理装置１２ａと現金処理装置１２ｂは、同じ構造で同じ機能を有しているので、説明は、現金処理装置１２ａについて図１を用いて行う。図１は、現金処理装置１２ａの外観図である。
現金処理装置１２ａは、３つの紙幣部１００、２００、３００と、それぞれの紙幣部に対応して３つの操作表示部１２２、２２２、３２２が設けられている。操作表示部１２２、２２２、３２２は、それぞれの紙幣部１００、２００、３００の稼動状況や操作案内を表示し、顧客による操作入力を受け付ける。また、３つの紙幣部１００（現金補充部）、紙幣部２００（現金予備部）、紙幣部３００（現金回収部）は、現金搬送部４００により連結されており、紙幣部３００から紙幣部１００へ紙幣を供給し、または、紙幣部３００から紙幣部２００へ、さらに紙幣部２００から紙幣部１００へ紙幣を供給することができる。
【００２２】
３つの紙幣部の構造について、図４を用いて説明する。図４は、紙幣部１００の側面図である。紙幣部１００の構造と紙幣部２００の構造と紙幣部３００の構造は同じなので、紙幣部１００の構造について説明し、その他の紙幣部に関する説明は割愛する。
紙幣部１００は、上段部１２４と、下段部１２５および中段部１２６から構成されており、上段部１２４には、紙幣口１２７が設けられている。
紙幣部１００の上段部１２４に設けられた紙幣口１２７は、紙幣の受け入れや払い出しができる出入口である。紙幣口１２７には、紙幣を分離して紙幣を取り込むための取込部１３１が設けられている。紙幣口１２７に紙幣が重ねてセットされた場合、取込部１３１により紙幣を１枚ずつ分離して取り込むことができる。
【００２３】
取り込まれた紙幣は、取込搬送路１３２により搬送され、紙幣認識部１３３へ到達する。
紙幣認識部１３３は、通過する紙幣の金種や真偽や汚損状態などチェックする。該チェックの結果に従って、通過する紙幣の搬送先が決定される。例えば、計数の途中で一時的に保管する場合には、搬送路１３４を経由して紙幣は一時収納庫１３５に収納される。また、紙幣が２枚重なって搬送されてきた場合、紙幣認識部１３３は通過する紙幣の金種の判定ができないことがある。その場合には、２枚重なった紙幣は出金搬送路１３６を経由して紙幣口１２７へ返却される。
【００２４】
紙幣の搬送制御は、搬送路に設けられたブレード１４０ａ、１４０ｂにより搬送先が指定される。
また、紙幣部１００の下段部１２５には、紙幣を収納し保管するための紙幣カセット１４１ａ、１４１ｂ、１４１ｃが装着される。これらの紙幣カセット１４１ａ、１４１ｂ、１４１ｃは、下段部１２５への取り付けおよび下段部１２５からの取り外しが自在にできる。そして、これらの紙幣カセット１４１ａ、１４１ｂ、１４１ｃは、１組（現金カセット１４１と記述する）で使用され、収納される紙幣の種類が異なる。例えば、紙幣カセット１４１ａには１万円札を収納し、紙幣カセット１４１ｂには、２千円札を収納し、紙幣カセット１４１ｃには、千円札を収納して使用する。店舗１に設置されているＡＴＭ２にも装着できる。即ち、ＡＴＭ２への紙幣の補充および回収は、該現金カセット１４１の輸送し新旧カセットを交換することによって行われる。
【００２５】
これらの紙幣カセット１４１ａ、１４１ｂ、１４１ｃの上部には、紙幣出入口１４２ａ、１４２ｂ、１４２ｃが設けられている。該紙幣出入口１４２ａ、１４２ｂ、１４２ｃを介して、紙幣カセット１４１ａ、１４１ｂ、１４１ｃは紙幣を受け入れて収納している。紙幣カセット１４１ａ、１４１ｂ、１４１ｃに収納されている紙幣を１枚ずつ分離して取り出し紙幣部１００の搬送路へ繰り出すことができる。
【００２６】
紙幣カセット１４１ｃの下部には、紙幣収納部１４３が設けられている。紙幣収納部１４３には、紙幣入口１４４が設けられており、該紙幣入口１４４を経由して紙幣収納部１４３内に紙幣を収納することができる。
【００２７】
例えば、紙幣口１２７で受け入れ、紙幣認識部１３３でチェックした紙幣を紙幣カセット１４１ａ、１４１ｂ、１４１ｃに収納する場合は、紙幣認識部１３３を通過した紙幣は、ブレード１４０ａ、１４０ｃにより案内され、中段の搬送路１３７を通過して、下段の搬送路１３８へ案内される。下段搬送路１３８に案内された紙幣は、ブレード１４０ｄ、１４０ｅ、１４０ｆにより紙幣カセット１４１ａ、１４１ｂ、１４１ｃおよび紙幣収納部１４３に案内され収納される。
【００２８】
一方、紙幣部３００の紙幣カセット３４１ａ、３４１ｂ、３４１ｃから繰り出された紙幣は、下段搬送路３３７で搬送され、紙幣認識部３３３を通過する。その時の処理業務と紙幣認識部３３３の判定結果に従って、紙幣カセット３４１ａ、３４１ｂ、３４１ｃから繰り出された紙幣は、紙幣口３２７や連結口３３９を経由して現金搬送部４００へ案内される。該現金搬送部４００に案内された紙幣は、他の紙幣部、即ち紙幣部２００（現金予備部）または紙幣部１００（現金補充部）へ搬送される。このように、紙幣部３００から紙幣部１００へ、紙幣部３００から紙幣部２００へ、紙幣部２００から紙幣部１００へと、紙幣を搬送し供給することができる。
【００２９】
通常、紙幣部１００、２００、３００の役割は、次のように指定される。紙幣部１００（現金補充部）は、空の現金カセットを装着しＡＴＭに装填（補充）するための紙幣を収納する役割をもつ。紙幣部２００は、予備の現金カセットを装着し予備用の紙幣を収納し保持する役割をもつ。紙幣部３００は、ＡＴＭ２から回収してきた現金カセットを装着し、該現金カセットにより回収された紙幣を計数し金額をチェックする役割をもつ。
【００３０】
以上のような役割で、紙幣部３００は回収された現金カセットの紙幣を計数しながら、計数済みの紙幣を紙幣部１００へ移送し、紙幣部１００の現金カセット１４１へ装填することができる。
また、事前に紙幣口２２７から紙幣が入金され、紙幣部２００に装着された現金カセット２４１に紙幣が収納されている場合、必要に応じて該紙幣部２００の現金カセット２４１から紙幣部１００の現金カセット１４１へ紙幣を移送することにより、紙幣口２２７からの入金された紙幣も紙幣部１００の現金カセット１４１へ装填することができる。
【００３１】
また、紙幣部３００において、回収カセット３４１の回収紙幣を計数するとき、計数された紙幣を予備紙幣として収納する場合には、紙幣部２００の現金カセット２４１（予備カセット）へ収納することができる。
【００３２】
次に、現金搬送部４００の構造について、図５を用いて説明する。図５は、現金処理装置１２ａ、１２ｂの後面図である。
紙幣部１００、２００、３００の後面には、それぞれに連絡口１３９、２３９、３３９が設けられている。例えば、紙幣部３００の連絡口３３９から排出された紙幣は、連結搬送路４５１ｃにより搬送され、方向変換搬送路４５２ｃにより上方へ搬送されながら９０°回転される。このようにして、紙幣は、水平搬送路４５３ｂに進入して横方向に搬送される。
【００３３】
搬送される紙幣が、水平搬送路４５３ａから、例えば方向変換搬送路４５２ａに案内されると、下方に搬送されながら９０°回転され連結搬送路４５１ａに搬送される。さらに、紙幣は、連結搬送路４５１ａにより紙幣部１００の連結口１３９まで搬送されて、連結口１３９から紙幣部１００の内部の搬送路に取り込まれる。これにより、紙幣部３００から紙幣が紙幣部１００へ受け渡されたことになる。
【００３４】
同様にして、連結搬送路４５１ａ、４５１ｂ、４５１ｃと、方向変換搬送路４５２ａ、４５２ｂ、４５２ｃおよび水平搬送路４５３ａ、４５３ｂにより、紙幣部１００と紙幣部２００と紙幣部３００との間で紙幣の受け渡しが実行される。
【００３５】
ここで、現金処理装置１２ａ、１２ｂの構成について、図６を用いて説明する。図６は、現金処理装置１２ａ、１２ｂの内部構成を説明するための構成図である。
現金処理装置１２ａ、１２ｂは、紙幣部１００、２００、３００および操作表示部１２２、２２２、３２２および現金搬送部４００から構成される。
さらに、現金処理装置１２ａ、１２ｂは、現金処理制御部５００を内部に有している。該現金処理制御部５００は、現金処理装置を構成する各部、即ち、各紙幣部１００、２００、３００および各操作表示部１２２、２２２、３２２および現金搬送部４００に接続され、これらを統括して制御する。
【００３６】
例えば、紙幣部２００から繰り出された紙幣が、現金搬送部４００を経由して紙幣部１００へ移動する場合、紙幣の受け渡し情報は、現金処理制御部５００を介して各部に伝達される。即ち、紙幣部２００から繰り出された紙幣が、紙幣部２００の連結口２３９から現金搬送部４００の連結搬送部５１ａに受け渡しが行われる時、紙幣部２００から現金処理制御部５００に対して紙幣の受け渡しが通知される。該通知を受けると現金処理制御部５００は、現金搬送部４００に対して紙幣を受け渡たす旨とその紙幣の搬送先を通知する。
【００３７】
現金搬送部４００は、該通知に受けて、内部の有無センサにより紙幣を受け取ったことを確認し、指定の搬送先へ紙幣を導くべく搬送する。例えば、搬送先として紙幣部１００が指定された場合には、現金搬送部４００は受け渡された紙幣を連結搬送路４５１ｂで搬送し、連結口１３９まで導く。連結口１３９から紙幣部１００へ紙幣を渡す。このとき、現金搬送部４００は、現金処理制御部５００に対して紙幣の受け渡し情報を通知する。
現金処理制御部５００は、紙幣部１００に対して紙幣を受け渡たす旨とその紙幣の搬送先を通知する。紙幣部１００は、その通知に従い紙幣を受け入れ搬送し。指定の収納部に紙幣を収納する。
【００３８】
以上の説明のように、現金処理制御部５００は、そのときの処理に応じて、紙幣の搬送先を指定し、該紙幣が正しく指定した搬送先へ送り届けられたことのチェックを行う。
さらに、必要に応じて、表示情報を操作表示部１２２、２２２、３２２へ通知する。
操作表示部１２２、２２２、３２２は、現金処理制御部５００からの表示情報に基づき表示を行うとともに、操作により入力された指定情報などを受け付けて、必要な処理を行う。
【００３９】
例えば、現金処理制御部５００は、紙幣部１００から通知される稼動状態や計数結果などを操作表示部１２２へ表示するべく通知する。また、現金の計数開始入力や計数結果の確認入力などの通知を操作表示部１２２から受け付けた場合には、紙幣部１００や現金搬送部４００へ必要な処理を指示する。
【００４０】
以上の説明では、３つの紙幣部１００、２００、３００にそれぞれ対応して３つの操作
表示部１２２、２２２、３２２を設けた例であったが、３つの操作表示部は１つに集約し
ても良い。
その場合、操作および表示を切替えて使用することが考えられる。即ち、「紙幣部１０
０の収納金額」や「紙幣部２００の処理メニュ」などと表示して、１つの操作表示部を
切替て３つの紙幣部１００、２００、３００の操作表示部として使用しても良い。
また、現金処理装置１２ａ、１２ｂで実行された処理の内容は、通信回線１３を介して、
現金管理装置１１に通知される。
【００４１】
次に、紙幣部１００に使用される紙幣カセット１４１ａ、１４１ｂ、１４１ｃについて説明する。
紙幣カセット１４１ａと紙幣カセット１４１ｂは、同一の構造である。ただし、紙幣カセット１４１ａの内部に保管されている紙幣と紙幣カセット１４１ｂの内部に保管されているものと違いがあるので区別して使用する必要がある。そこで、目視できる位置にラベルなどを貼り、紙幣カセット１４１ａと紙幣カセット１４１ｂを区別できるようになっている。
【００４２】
図７は、紙幣カセットの外観図である。紙幣カセット１４１ａと紙幣カセット１４１ｂは、その上部に紙幣出入口１４２を設けている。この紙幣出入口１４２は、自動的に閉鎖できる構造となっており、紙幣カセット１４１ａと紙幣カセット１４１ｂを紙幣部１００から取り外した時は、閉鎖され紙幣を取り出すことができない。紙幣カセット１４１ａと紙幣カセット１４１ｂの上部には、取手１７１と区別するためのラベル１７２が設けられている。また、側面には、カセット内部の紙幣の取り出しや紙幣をカセット内にセットするための扉１７３はある。さらに、下部には、無線カード１７４が貼り付けられている。
この無線カード１７４には、紙幣カセットを１台ごと識別するためのカセット識別番号や紙幣カセットに収納されている紙幣の金種・枚数などを記録することができる。
【００４３】
紙幣カセット１４１ｃは、紙幣カセット１４１ａと紙幣カセット１４１ｂと同様に、その上部に紙幣出入口１４２ｃと取手１７１ｃとラベル１７２ｃが設けられている。さらに、その側面には、紙幣の取り出しやセットするための扉１７３ｃがある。また、下部には、無線カード１７４ｃが貼り付けられている。
紙幣カセット１４１ｃの固有の構造として、その側面に紙幣入口４４が設けられており、この紙幣入口４４から紙幣カセット１４１ｃに収納されている紙幣を取り出すための第２の扉１７５が設けられている。
【００４４】
３ケの紙幣カセットを１組で現金カセットとして運用する。例えば、紙幣カセット１４１ａと紙幣カセット１４１ｂと紙幣カセット１４１ｃを１組（以後、現金カセット１４１と記述する）とし、紙幣カセット２４１ａと紙幣カセット２４１ｂと紙幣カセット２４１ｃを１組（以後、現金カセット２４１と記述する）とし、紙幣カセット３４１ａと紙幣カセット３４１ｂと紙幣カセット３４１ｃを１組（以後、現金カセット３４１と記述する）とする。そこで、例えば、現金カセット１４１をＡＴＭ２や現金処理装置１２ａ、１２ｂの紙幣部１００に装着した場合、ＡＴＭ２や紙幣部１００の現金カセットの無線カード１７４に対向する位置に、該無線カード１７４のデータの書き換え、読み出しを行うことのできるデータ書き換え部が配置されており、必要に応じて紙幣カセットのカセット識別番号を読み出しや、収納されている紙幣の金種や枚数のデータの読み出しや書き換えを行うことができる。
【００４５】
次に、現金管理システム１０を中心とするＡＴＭ２への現金補充および現金回収の運用について説明する。
監視装置５の指示により現金管理システム１０を経由して、現金輸送車９に対してＡＴＭ２の現金回収・補充が指令されると、現金輸送車９は店舗１を訪問し、店舗に設置してあるＡＴＭ２から使用している現金カセット３４１を回収し、新たに持参した現金カセット１４１と交換する。このとき、ＡＴＭ２は、現金カセット３４１に収納されている現金量を現金カセット３４１の無線カード３７４に記録する。個々の紙幣カセット（３４１ａ、３４１ｂ、３４１ｃ）は、収納している現金量をそれぞれの無線カードに記録される。
【００４６】
また、新しい現金カセット１４１がＡＴＭ２にセットされたとき、ＡＴＭ２は、セットされた現金カセット１４１の無線カード１７４ａ、１７４ｂ、１７４ｃからカセット識別番号や収納している現金量を読み出す。
これにより、ＡＴＭ２は取引に使用することのできる現金量を把握することが可能となる。
【００４７】
これらの回収された紙幣カセット（３４１ａ、３４１ｂ、３４１ｃ）へ書き込んだデータや新たにセットされた紙幣カセット（１４１ａ、１４１ｂ、１４１ｃ）から読み出した情報は、ＡＴＭ２から監視装置５へ通知される。これにより、監視装置５は、正しく現金カセットの交換が行われたことをチェックすることができる。
【００４８】
現金輸送車９で回収された現金カセット３４１は、現金センタ７に引き渡される。現金センタでは、現金処理装置１２ａ、１２ｂにより、回収された現金カセット３４１に収納されている現金を計数し、該現金カセットの無線カード３７４に記録されている現金量と一致するかのチェックが行われる。即ち、現金処理装置１２ａ、１２ｂの係員は、引き渡された１組の紙幣カセット（３４１ａ、３４１ｂ、３４１ｃ）のうち、紙幣カセット３４１ｃの扉３７５を開き、紙幣収納部３４３に収納されている紙幣を取り出す。
該紙幣収納部３４３には、現金カセット３４１がＡＴＭ２で取引に使用されているとき、支払いのために繰り出されたが、例えば、２枚重ねて繰り出されたなどの理由で正確な計数ができずに、支払いに不適格と判断された紙幣が収納されている。
【００４９】
これらの紙幣は、紙幣の汚れや折れや破れなどの悪い要因をもち、支払いに不適格と判断される場合が多い。そこで、現金処理装置１２ａ、１２ｂで計数する前に、係員により目視確認する必要がある。
現金処理装置１２ａ、１２ｂでも、計数ができないと判断されるような場合には、紙幣を交換して、手入力により該当金額を入力して計数を不要とする処理を行う。
【００５０】
次に、紙幣収納部３４３を空にした現金カセット３４１は、現金処理装置１２ａの紙幣部３００に装着される。
紙幣部３００は、装着された現金カセット（３４１ａ、３４１ｂ、３４１ｃ）の無線カード３７４ａ、３７４ｂ、３７４ｃから記録されているカセット識別番号や収納されている紙幣量などを読み出す。さらに、現金カセット３４１から収納している紙幣を繰り出して計数し、精算処理を行う。
【００５１】
紙幣部３００における回収された現金カセットの精算処理の動作について、図８を用いて説明する。
はじめに、紙幣カセット３４１ａから繰り出された紙幣は、紙幣認識部３３３まで搬送され、紙幣認識部３３３は搬送されてきた紙幣の金種や真偽などをチェックする。チェックの後に回収現金として計数される。この計数された紙幣は、連結口３３９を経由して現金搬送路４００へ送り出され、紙幣部１００へ搬送される。
【００５２】
紙幣カセット３４１ａが空になると、紙幣カセット３４１ｂと紙幣カセット３４１ｃから続けて紙幣を繰り出して、下段搬送路３３８を経由して紙幣認識部３３３まで搬送し、紙幣認識部３３３にて、同様に紙幣の鑑定をした後に計数を行う。さらに、計数された紙幣は、現金搬送路４００を経由で紙幣部１００へ搬送される。
もし、紙幣認識部３３３で判別不能と判断された場合には、出金搬送路３３６を経由で紙幣口３２７まで搬送されて、リジェクト紙幣として紙幣口３２７へ放出される。
【００５３】
以上のようにして、紙幣カセット３４１ａと紙幣カセット３４１ｂと紙幣カセット３４１ｃが空になると、紙幣部３００は、紙幣口３２７に放出されたリジェクト紙幣と事前に紙幣収納部３４３から抜き取った紙幣を目視チェックした上で紙幣口３２７にセットするように、対応する操作表示部３２２により係員を誘導する。
係員は、計数に不適格と判断される紙幣を取り除き紙幣口３２７に紙幣をセットする。
紙幣部３００は、紙幣口３２７にセットされた紙幣を取り込み、紙幣認識部３３３により鑑定の後に計数する。該計数された紙幣は、現金搬送部４００を経由して紙幣部１００へ搬送される。
【００５４】
もし、これでも計数できない紙幣がある場合には、該紙幣は紙幣口３２９に返却される。係員は、該返却された紙幣を目視で計数し、この金額を操作表示部３２２から入力する。
【００５５】
紙幣部３００は、以上の処理で紙幣認識部３３３で計数した現金量に係員が操作表示部３２２から入力した金額を加えた結果と、無線カード３７４ａ、３７４ｂ、３７４ｃから読み出した現金量の和との突合せチェックを行う。一致すれば、正常と判断する。
不一致の場合、異常として係員に通知し、必要な調査を実施するように指示を出す。
【００５６】
これらのカセット識別番号および計数とチェックの結果は、現金管理装置１１に通知される。さらに、紙幣部３００は、現金カセット３４１の無線カード３７４ａ、３７４ｂ、３７４ｃに記録されている現金量に関するデータをクリアして、０とする。係員に対して、現金カセット３４１の取り外しを指示して完了する。
【００５７】
一方、紙幣部１００では、装填動作が行われる。装填動作とは、ＡＴＭ２に現金を補充するために、例えば、現金カセット１４１へ必要な現金量を装填する作業である。図８は、紙幣部１００における装填動作を説明する図である。
係員は、空の現金カセット１４１を紙幣部１００にセットする。紙幣部１００は、現金カセット１４１がセットされると、カセット内が空であること、即ち、３つの紙幣カセット１４１ａ、１４１ｂ、１４１ｃが全て空であることを確認するとともに、その無線カード１７４ａ、１７４ｂ、１７４ｃから紙幣カセット識別番号を読み出す。さらに、紙幣部１００は、現金管理装置１１から、それぞれの紙幣カセット識別番号へ装填する現金量の指示を受ける。
【００５８】
ここでは、紙幣カセット識別番号に対応して、現金量の指示を受けるように説明するが、先に現金量の指示を受けて、装填処理を行い、そのときセットされていた紙幣カセットのカセット識別番号を現金管理装置１１へ通知しても良い。装填された現金量と装填された紙幣カセットのかセット識別番号の対応が記録されれば、現金の管理が可能である。
【００５９】
紙幣部１００は、現金搬送部４００を経由して紙幣部３００で精算処理が終了した紙幣の供給を受ける。即ち、紙幣日１００は、連結口１３９から紙幣を受け入れる。受け入れた紙幣は、紙幣認識部１３３を通過する。紙幣認識部１３３で鑑定を受け、金種に応じて、紙幣カセット１４１ａ、１４１ｂ、１４１ｃに収納される。
ここで、紙幣部３００による現金カセット３４１に対する精算処理が完了する。しかし、紙幣部１００の装填した現金量が、現金管理装置１１から指示された現金量に不足する場合、紙幣部１００は現金カセット１４１への装填動作を一時中断し、紙幣部３００へ別の現金カセット３４１´を装着し精算処理を行うまで待機する。
【００６０】
ところで、紙幣部３００の精算処理が完了したとき、係員が紙幣部３００の現金カセット３４１を次に回収処理される別の現金カセット３４１´と交換すると、同時に紙幣部１００の装填処理も中断される。このとき、紙幣部２００の現金カセット２４１にすでに回収紙幣が収納されている場合、該現金カセット２４１に収納されている紙幣を紙幣部１００へ搬送して装填処理が継続される。
【００６１】
即ち、紙幣部２００は、現金カセット２４１から必要な紙幣を繰り出し、現金搬送部４００を経由して紙幣部１００へ紙幣を供給する。ただし、このとき繰り出す紙幣の枚数は、紙幣部１００の装填処理に必要な枚数だけであり、精算処理時のように無条件に空になるまで繰り出すことはない。
しかし、装填処理に必要な枚数が、紙幣部２００の現金カセット２４１に収納されてない場合、紙幣部２００の現金カセット２４１が空になった時点で装填処理は、再び中断される。その後、紙幣部３００の精算処理が開始されるかまたは後述の補充処理を行うことにより、装填処理は再開される。紙幣部２００でリジェクト紙幣が発生したら、該リジェクト紙幣は一時収納庫２３５に回収される。
【００６２】
つぎに、現金カセットへの補充処理について説明する。
補充処理は、紙幣部１００、２００、３００の紙幣口１２７、２２７、３２７から各紙幣部にセットされている現金カセット１４１、２４１、３４１へ紙幣を補充する処理である。
例えば、紙幣部３００で回収カセットの精算処理が完了して紙幣部１００の装填処理が中断した場合、紙幣部１００の紙幣口１２７から紙幣の補充処理を行うことにより、直に紙幣部１００の紙幣カセット１４１ａ、１４１ｂ、１４１ｃへ紙幣を装填することができる。また、紙幣部２００の紙幣口２２７から紙幣カセット２４１ａ、２４１ｂ、２４１ｃへ紙幣を補充することにより、余剰紙幣に加えて大量の紙幣を装填用として準備することができる。
【００６３】
これにより、紙幣部３００の精算処理が完了し、紙幣部１００の装填処理が中断したとき、事前に余剰紙幣がなくても、該予備紙幣を準備することにより装填処理を継続して行うことができる。
【００６４】
上述のように、３つの紙幣部１００、２００、３００の役割は、それぞれ装填（補充）、予備、回収であり、現金搬送路４００は３つの紙幣部を跨ぐ形でそれらを連結している。
本発明（実施例１）の３つの紙幣部とそれらを連結する現金搬送部の構造は、従来の不具合を解消する。即ち、３つの紙幣部を跨ぐ形で現金搬送部が配置されているので、１つの紙幣部の現金カセットを交換するときでも、残りの紙幣部の現金カセットは現金搬送路４００と連結された状態を維持することができるので、処理を中断することがない。
【００６５】
換言すれば、装填用現金カセット（補充カセット）を交換するとき、紙幣部３００の精算処理を中断することがなく、回収用カセット（回収カセット）を交換するとき、紙幣部１００の装填（補充）処理を中断する必要がない。
さらに、紙幣部１００、２００、３００を装填用、予備用、回収用の順に配置したために、現金搬送部４００の搬送方向は、常に回収→予備→装填の方向、即ち、紙幣部３００→紙幣部２００→紙幣部１００の方向となる。装置構造が簡単となるともに、処理の切替えのときに搬送方向を切替える必要がなく、装置の信頼性を向上させることができる。
【実施例２】
【００６６】
一般的にＡＴＭ２に収納されている現金は、取引の実行に伴い減少する。即ち、出金量が多く、入金量が少ない。従って、現金センタ７では、現金カセットに装填する現金が不足し、外部の金融機関などから現金を調達する必要がある。この調達された現金は、１００枚ずつの束を単位として供給される。現金カセットへ装填する場合、その束を解いて、必要な枚数として、現金カセットへ装填する必要がある。
この現金を現金カセットへ装填する処理は、実施例１の現金処理装置１２ａ、１２ｂを用いて、１枚ずつ計数しながら現金カセットに装填しても良い。
また、１つの現金カセットへ装填する紙幣量は、数千枚になるのが普通であるため、計数処理に時間がかかり、調達される現金は、１００枚ずつの束を単位として供給されるので、該状況を前提とした実施例１で説明した紙幣カセットに適合した現金装填装置の実施例である。
実施例２の現金装填装置について説明する。
現金装填装置１４ａ、１４ｂは、図８に示されるように、その上に現金カセットを置き、現金を現金カセットに装填するための作業机６８１であり、係員が現金カセットへ装填する紙幣の枚数を指示するために表示したり、また、係員が現金の装填が完了したことを入力するなどの操作を受け付ける操作表示部６８２が、作業机６８１に上面に取り付けられている。
【００６７】
また、作業机６８１の中央付近には、無線カード読取り書き込み部６８３が埋め込まれている。この無線カード読取り書き込み部６８３は、現金カセット６４１を現金装填装置１４の上に置いて現金を装填する作業を行うとき、現金カセットに取り付けられた無線カード６７４ａ、６７４ｂ、６７４ｃに対向して通信し、それぞれの無線カードに記録されているデータを読み出しや書き換えを行う。
【００６８】
現金装填装置１４ａ、１４ｂは、図９に示されるように、内部に制御部６９１を有している。この制御部６９１には、操作制御部６８２および無線カード読取り書き込み部６８３などが接続されている。さらに、制御部６９１は、通信回線１３を介して現金管理装置１１に接続されており、現金管理装置１１からの指示に従い、係員に作業指示を出すことができる。即ち、制御部６９１は、操作表示部６８２を使って、係員に対する装填作業の指示を出したり、操作表示部６８２で入力された指示に従って装填結果などを現金管理装置１１へ通知する。
【００６９】
さらに、制御部６９１は、現金カセットの無線カード６７４ａ、６７４ｂ、６７４ｃに記録されているデータを読取った後、該読取ったデータを無線カード読取り書き込み部６８３を介して現金管理装置１１へ通知する。
また、現金管理装置１１の指示に従って無線カード６７４ａ、６７４ｂ、６７４ｃのデータを書き換える。
【００７０】
また、１００枚ずつの束は、金融機関によりその内容が保証されており、改めて厳密
なチェックをする必要がない。従って、係員が紙幣の束を解き、直接現金カセットへつめ
るほうが、短時間で現金の装填処理が完了する。このような場合でも、紙幣カセットの
無線カード６７４ａ、６７４ｂ、６７４ｃのデータを書き換える必要がある。
そこで、現金カセットへ直接手処理で現金をつめる場合、現金装填装置１４ａ、１４
ｂの上で作業を行う。
【００７１】
実施例２の現金補充装置を用いたＡＴＭへの現金補充システムによれば、無線カードが添付された紙幣カセットおよび無線カード読取り書き込み部が埋め込まれている現金装填装置を組み合わせることにより、紙幣カセットのカセット識別番号と紙幣カセットへの現金の装填量を対のデータとして処理できるので、確実に人手により現金カセットへ短時間で現金を装填することができる。
また、現金カセットのカセット識別番号を読み出し、対応する現金量を指示できるので、常に、最適の現金量を適確に装填することができる。
【図面の簡単な説明】
【００７２】
【図１】本発明の現金処理装置の外観図である。
【図２】ＡＴＭに対する現金に回収／補充の運用システムの構成図である。
【図３】現金管理システムの構成図である。
【図４】現金処理装置の内部構造を示す図である。
【図５】現金搬送部の構造を示す図である。
【図６】現金処理装置の構成図である。
【図７】紙幣カセットの外観図である。
【図８】現金装填装置の外観図である。
【図９】現金装填装置の構成図である。
【符号の説明】
【００７３】
１                                  店舗
２                                  ＡＴＭ
３、６、１３                        通信回線
４                                  監視センタ
５                                  監視装置
７                                  現金センタ
９                                  現金輸送車
１０                                現金管理システム
１１                                現金管理装置
１２ａ、１２ｂ                      現金処理装置
１４ａ、１４ｂ                      現金装填装置
１００、２００、３００              紙幣部
１２２、２２２、３２２              操作表示部
１２４、２２４、３２４              上段部
１２５、２２５、３２５              下段部
１２６、２２６、３２６              中段部
１２７、２２７、３２７              紙幣口
１３１                              取込部
１３２                              取込搬送路
１３３                              紙幣認識部
１３４                              搬送路
１３５                              一時収納庫
１３６                              出金搬送路
１３７                              中段搬送路
１３８                              下段搬送路
１３９、２３９、３３９              連結口
１４０ａ、１４０ｂ、１４０ｃ        ブレード
１４１ａ、１４１ｂ、１４１ｃ        紙幣カセット
１４２ａ、１４２ｂ、１４２ｃ        紙幣出入口
１４３                              紙幣収納部
１４４                              紙幣入口
４００                              現金搬送部
４５１ａ、４５１ｂ、４５１ｃ        連結搬送路
４５２ａ、４５２ｂ、４５２ｃ        方向変換搬送路
４５３ａ、４５３ｂ                  水平搬送路
５００                              現金処理制御部
６４１ａ、６４１ｂ、６４１ｃ        現金カセット
６７４ａ、６７４ｂ、６７４ｃ        無線カード
６８２                              操作表示部
６８３                              無線カード読取り書き込み部
６９１                              制御部
【図１】
2006085346.tif 000003
【図２】
2006085346.tif 000004
【図３】
2006085346.tif 000005
【図４】
2006085346.tif 000006
【図５】
2006085346.tif 000007
【図６】
2006085346.tif 000008
【図７】
2006085346.tif 000009
【図８】
2006085346.tif 000010
【図９】
2006085346.tif 000011